(57)【要約】【課題】読み取り待機モード中であっても消費電力を抑える。【解決手段】原稿を読み取る読取手段と、読取手段を駆動する駆動手段と、駆動手段に電流を供給する電流供給手段と、電流供給手段からの電流供給のオンオフを制御する電流供給制御手段と、を含み、電流供給制御手段は、読取手段による原稿の読み取りが終了したとき、駆動手段に供給されていた電流供給をオフさせる。【選択図】図２
2013030879.tif 000002
【特許請求の範囲】
【請求項１】
原稿を読み取る読取手段と、
前記読取手段を駆動する駆動手段と、
前記駆動手段に電流を供給する電流供給手段と、
前記電流供給手段からの電流供給のオンオフを制御する電流供給制御手段と、を含み、
前記電流供給制御手段は、前記読取手段による前記原稿の読み取りが終了したとき、前記駆動手段に供給されていた前記電流供給をオフさせることを特徴とする画像読取装置。
【請求項２】
前記原稿が前記読取手段による読み取り可能な位置に存在するか否かを判断する第一の判断手段を含み、
前記第一の判断手段により前記原稿が前記読み取り可能な位置に存在しないと判断されたとき、及び／又は、前記電流供給制御手段により前記電流供給がオフされているとき、前記原稿を前記読み取り可能な位置に移動させる移動手段をさらに含むことを特徴とする請求項１に記載の画像読取装置。
【請求項３】
前記読取手段により前記原稿を読み取る準備がされたとき、前記移動手段は、前記原稿を前記読み取り可能な位置に移動させることを特徴とする請求項２に記載の画像読取装置。
【請求項４】
前記電流供給制御手段は、前記読取手段による前記原稿の読み取りが終了した後に、さらに読み取るべき原稿が存在するときには、前記電流供給をオフさせないことを特徴とする請求項１から３の何れか１項に記載の画像読取装置。
【請求項５】
前記原稿を原稿台に圧接する開閉可能な圧接手段を含み、前記読取手段による前記原稿の読み取りが終了した後に、前記圧接手段が開状態にあるときには、前記電流供給制御手段は、前記電流供給をオフさせないことを特徴とする請求項１から４の何れか１項に記載の画像読取装置。
【請求項６】
前記読取手段に制御信号を伝達する情報処理装置を含み、前記読取手段による前記原稿の読み取りが終了した後に、前記情報処理装置から前記制御信号が伝達されていないときは、前記電流供給制御手段は、前記電流供給をオフさせることを特徴とする請求項１から５の何れか１項に記載の画像読取装置。
【請求項７】
前記読取手段による前記原稿の読み取りが可能であるか否かを判断する第二の判断手段を含み、前記第二の判断手段により、前記原稿の読み取りが不可能であると判断されたときは、前記電流供給制御手段は、前記電流供給をオフさせることを特徴とする請求項１から６の何れか１項に記載の画像読取装置。
【請求項８】
画像読取装置を制御する制御方法であって、
読取手段が原稿を読み取る工程と、
駆動手段が前記読取手段を駆動する工程と、
電流供給手段が、前記駆動手段に電流を供給する工程と、
電流供給制御手段が、前記電流供給手段からの電流供給のオンオフを制御する工程と、を含み、
前記電流供給制御手段は、前記読取手段による前記原稿の読み取りが終了したとき、前記駆動手段に供給されていた前記電流供給をオフさせる工程を含むことを特徴とする制御方法。
【請求項９】
画像読取装置のコンピュータにより実行可能なプログラムであって、
読取手段が原稿を読み取る処理と、
駆動手段が前記読取手段を駆動する処理と、
電流供給手段が前記駆動手段に電流を供給する処理と、
電流供給制御手段が、前記電流供給手段からの電流供給のオンオフを制御する処理と、を含み、
前記電流供給制御手段は、前記読取手段による前記原稿の読み取りが終了したとき、前記駆動手段に供給されていた前記電流供給をオフさせる処理を含むことを特徴とするプログラム。
【発明の詳細な説明】
【技術分野】
【０００１】
本発明は、画像読取装置、制御方法、及びプログラムに関する。
【背景技術】
【０００２】
複写機やスキャナ等の画像読取装置においては、コンタクトガラス上の原稿を圧板で押さえ、コンタクトガラスの下方に副走査方向に移動可能に配設されたキャリッジに搭載された画像読取部を、基準位置（以下、「ホームポジション」という。）に待機させ、当該ホームポジションから所定距離副走査方向に離れた原稿読取開始位置（原稿先端位置）から原稿に沿って副走査方向に移動させながら原稿の画像を読み取っている。
【０００３】
このような画像読取装置において、キャリッジをホームポジションで待機させる待機状態においては、当該画像読取装置のキャリッジを駆動する駆動モータの励磁電流の印加を停止することにより、当該画像読取装置の消費電流を抑える省エネルギーモードへ移行させる技術は既に知られている。
【０００４】
特許文献１には、消費電力を抑える目的で、待機状態から所定の省エネルギーモード移行待ち時間が経過すると、省エネルギーモードへ移行すると共に、キャリッジを駆動する駆動モータの励磁電流の印加を停止し、読み取り待機モード中の消費電力を抑える画像読取装置が開示されている。
【発明の概要】
【発明が解決しようとする課題】
【０００５】
しかしながら、上記従来の画像読取装置では、読み取り待機モード（非省エネルギーモードであって、ユーザ要求あれば直ちに読み取りを開始することができる状態）では、常時、励磁モータに励磁電流が印加されている状態であり、実際に読み取りを実施しない期間中、無駄な電力を消費してしまうという問題があった。
【０００６】
また、特許文献１に開示された技術は、消費電力を抑えることを目的として、省エネルギーモード中には励磁電流の印加を停止している。しかし、駆動モータに対する励磁電流が印加されていないため、モータ軸が回転し易くなり、キャリッジがホームポジションから外れてしまうことによる読み取り開始位置のズレ、スキャン誤り等が発生してしまう。これを防止するために、読み取り開始前に、キャリッジをホームポジションに移動させる処理を行うために、駆動モータに対する励磁電流が印加されており、読み取り待機モードにおいて駆動モータに対する励磁電流による電力消費の低減を行うという問題は依然として解決されていない。
【０００７】
そこで本発明は、上記問題点に鑑みてなされたものであって、読み取り待機モード中であっても消費電力を抑えることができる画像読取装置、制御方法、及びプログラムを提供することを目的とする。
【課題を解決するための手段】
【０００８】
上記課題を解決するため、請求項１に記載の本発明における画像読取装置は、原稿を読み取る読取手段と、前記読取手段を駆動する駆動手段と、前記駆動手段に電流を供給する電流供給手段と、前記電流供給手段からの電流供給のオンオフを制御する電流供給制御手段と、を含み、前記電流供給制御手段は、前記読取手段による前記原稿の読み取りが終了したとき、前記駆動手段に供給されていた前記電流供給をオフさせることを特徴とする。
【発明の効果】
【０００９】
本発明によれば、読み取り待機モード中であっても消費電力を抑えることができる画像読取装置、制御方法、及びプログラムが得られる。
【図面の簡単な説明】
【００１０】
【図１】本発明の実施形態に係る画像読取装置の構成を示す概略ブロック図である。
【図２】本発明の第１実施形態に係る画像読取装置の動作を示すフロー図である。
【図３】本発明の第２実施形態に係る画像読取装置の動作を示すフロー図である。
【図４】本発明の第３実施形態に係る画像読取装置の動作を示すフロー図である。
【図５】本発明の第４実施形態に係る画像読取装置の動作を示すフロー図である。
【図６】本発明の第５実施形態に係る画像読取装置の動作を示すフロー図である。
【図７】本発明の第６実施形態に係る画像読取装置の動作を示すフロー図である。
【発明を実施するための形態】
【００１１】
次に、本発明を実施するための形態について図面を参照して詳細に説明する。なお、各図中、同一又は相当する部分には同一の符号を付しており、その重複説明は適宜に簡略化乃至省略する。本発明は、読み取り待機モード中の電力消費に関して、原稿の読み取り終了後、直ちに駆動モータに対する励磁電流の印加を停止することが特徴になっている。
【００１２】
以下、本発明の実施形態について添付図面を参照して説明する。まず、本発明の実施形態に係る画像読取装置の構成について説明する。図１は、本発明の実施形態に係る画像読取装置の構成を示す概略ブロック図である。
【００１３】
本発明の実施形態に係る画像読取装置１は、原稿の読み取りを行う原稿読取制御部１１、読み取った画像の処理を行う読取画像処理部１２、読み取り条件の表示及びユーザに読み取り条件を入力してもらう表示・操作部１４、及び画像読取装置１全体を制御するシステム制御部１３で構成されており、これらは互いにバスライン１５で接続されている。
【００１４】
次に、本発明の第１実施形態に係る画像形成装置の動作について説明する。図２は、本発明の第１実施形態に係る画像読取装置の動作を示すフロー図である。図２において、最初に読取画像処理部１２において原稿の読み取りが開始されたが否かが判断され（ステップ２１、以下、「Ｓ２１」という。）、原稿の読み取りが開始されていないときは（Ｓ２１：Ｎ）、原稿の読み取りが開始されるまで待機する。
【００１５】
Ｓ２１において、原稿の読み取りが開始されているときは（Ｓ２１：Ｙ）、Ｓ２２へ移行し、キャリッジを駆動するモータの励磁電流が印加中であるか否かが判断され（Ｓ２２）、励磁電流が印加中であるときには（Ｓ２２：Ｙ）、Ｓ２３へ移行し、ホームポジション（ＨＰ）センサがオンであるか否かが判断される。ホームポジションセンサがオンであるときは（Ｓ２３：Ｙ）、Ｓ２４へ移行し、原稿の読み取り動作が実行される。
【００１６】
一方、Ｓ２２において、励磁電流が印加中でないとき（Ｓ２２：Ｎ）、Ｓ２３において、ホームポジションセンサがオンでないとき（Ｓ２３：Ｎ）は、それぞれＳ２７へ移行し、キャリッジをホームポジションに移動させるためのホーミング動作が実施される（Ｓ２７）。
【００１７】
Ｓ２３において、ホームポジションセンサがオンであるとき（Ｓ２３：Ｙ）、及びＳ２７において、ホーミング動作が実施されたときは、それぞれＳ２４へ移行し、スキャナによる原稿の読み取り動作が実行される。Ｓ２５において、読み取り動作が終了したか否かが判断され、読み取り動作が終了していないときには（Ｓ２５：Ｎ）、終了するまで読み取り動作を継続し、読み取り動作が終了したときには（Ｓ２５：Ｙ）、Ｓ２６へ移行し、キャリッジをホームポジションへ退避させると共に、モータの励磁電流の印加を停止させる。
【００１８】
このように、本実施形態では、原則、原稿読み取り動作終了後にモータの励磁電流の印加を停止する。そのため、モータの回転軸が回りやすくなり、キャリッジがホームポジション（ＨＰ）の外に移動してしまう可能性がある。この状態で原稿の読み取りを開始した場合、読み取りスタート位置がずれてしまうため原稿を正確に読み取ることができなくなる。
【００１９】
そこで、ユーザによりスタートボタンが押下され、原稿の読み取り動作が開始される際、モータの励磁電流の印加が停止された状態のときには（Ｓ２２：Ｎ）、ホーミング動作を実施し（Ｓ２７）、キャリッジをホームポジションへ移動させるようにしている。
【００２０】
また、励磁電流が印加されていたとしても、外部からの衝撃等によりキャリッジがホームポジションの外に移動している可能性もある。そのような場合を考慮し、さらにホームポジション（ＨＰ）センサの状態を参照し（Ｓ２３）、ホームポジションセンサがオフ状態であれば（Ｓ２３：Ｎ）、キャリッジをホームポジションへ移動させるホーミング動作を実施する（Ｓ２７）。
【００２１】
読み取り動作終了後、キャリッジをホームポジションへ退避させると共に、キャリッジを駆動するモータの励磁電流の印加を停止させる（Ｓ２６）。読み取り動作の終了は、圧板読み取りの場合には、キャリッジが原稿のスキャンを終えホームポジションへリターン動作で戻ってきたことをもって、ＤＦ（Document Feeder：複数枚の原稿を連続して紙送りし、次々と読み取る）読み取りの場合には、原稿後端がスキャンラインを通過したことをもって判断する。
【００２２】
なお、本実施形態では読み取り動作終了後、原稿台ガラスとスキャナ本体の隙間から落下したゴミがキャリッジに付着することを避けるために、原稿台の端部に備えられている白基準板の直下等、ゴミの落下の心配がない場所までキャリッジを退避させた後に、励磁電流の印加を停止するようにしている。
【００２３】
次に、本発明の第２実施形態に係る画像形成装置の動作について説明する。図３は、本発明の第２実施形態に係る画像読取装置の動作を示すフロー図である。図３において、Ｓ３１からＳ３５、及びＳ３７の各動作は、図２におけるＳ２１からＳ２５、及びＳ２７の各動作と同一であるので、詳細な説明は省略し、図２と異なる部分についてのみ説明を行う。
【００２４】
Ｓ３５において、原稿の読み取り動作が終了したときには（Ｓ２５：Ｙ）、Ｓ２６へ移行し、引き続き原稿の読み取り動作があるか否か、すなわち次のジョブがあるか否かが判断される。次のジョブがないときには（Ｓ３５：Ｎ）、Ｓ３７へ移行し、キャリッジをホームポジションへ退避させると共に、モータの励磁電流の印加を停止させる。次のジョブがあるときには（Ｓ３６：Ｙ）、モータの励磁電流の印加を継続させる。
【００２５】
このように、第１実施形態では、原稿の読み取りが終了する都度、モータの励磁電流の印加を停止していたが、ＤＦ読み取り等で複数枚の原稿を連続でスキャンする場合、読み取り終了の度毎に励磁電流の停止及びホーミング動作を実施していたのではスキャン効率が低下する。
【００２６】
また、圧板を用いて原稿の両面を読み取る場合、表面のスキャンが終了した後に裏面のスキャンが実行されることは予め分かっているため、スキャン効率を上げるためにもモータの励磁電流の印加を継続したままの方が望ましい。そこで、原稿の読み取り終了時点で、次原稿のジョブが発生していないとき（Ｓ３６：Ｎ）にのみ、キャリッジをホームポジションへ退避させると共に、モータの励磁電流の印加を停止させることとする（Ｓ３７）。これにより、スキャン効率の低下を防止することができる。
【００２７】
次に、本発明の第３実施形態に係る画像形成装置の動作について説明する。図４は、本発明の第３実施形態に係る画像読取装置の動作を示すフロー図である。図４において、Ｓ４２、Ｓ４３、及びＳ４４の各動作、並びに“Ａ”以降の各動作は、図２におけるＳ２２、Ｓ２３、及びＳ２７の各動作、並びに“Ａ”以降の各動作と同一であるので、詳細な説明は省略し、図２と異なる部分についてのみ説明を行う。
【００２８】
この実施形態では、キャリッジを駆動するモータの励磁電流が印加中であるか否かの判断の前に、スキャナを使った原稿の読み取り準備操作が発生しているか否かが判断される（Ｓ４１）。Ｓ４１において、読み取り準備操作が発生していないとき（Ｓ４１：Ｎ）には、読み取り準備操作が発生するまで待機し、読み取り準備操作が発生したとき（Ｓ４１：Ｙ）には、Ｓ４２以降の動作へ移行する。
【００２９】
すなわち、第１実施形態では、ユーザによりスタートボタンが押下された段階で、キャリッジがホームポジションにあるか否かの位置判定及びホーミング動作を実施しているため、ユーザがスタートボタンを押下してから原稿の読み取りが開始されるまでに時間を要し、スキャン効率が低下する。そこで、ユーザが圧板を開ける、ＤＦ原稿台に原稿をセットする等の読み取り前の準備操作が発生したことが検出された場合には、ホーミング動作を実施可能な状態にしておく。これにより、ユーザがスタートボタンを押下すると直ちに原稿の読み取りが開始され得る状態に遷移するため、スキャン効率の低下を抑止することができる。
【００３０】
次に、本発明の第４実施形態に係る画像形成装置の動作について説明する。図５は、本発明の第４実施形態に係る画像読取装置の動作を示すフロー図である。図５において、Ｓ５１からＳ５５、及びＳ５７の各動作は、図２におけるＳ２１からＳ２５、及びＳ２７の各動作と同一であるので、詳細な説明は省略し、図２と異なる部分についてのみ説明を行う。
【００３１】
Ｓ５５において、読み取り動作が終了したときには（Ｓ５５：Ｙ）、Ｓ５６へ移行し、原稿台の圧板が開いているか否かが判断される。圧板が開いていないときには（Ｓ５６：Ｎ）、原稿の読み取り動作が終了したものと見なして、キャリッジをホームポジションへ退避させると共に、モータの励磁電流の印加を停止させる（Ｓ５８）。一方、圧板が開いているときには（Ｓ５６：Ｙ）、引き続き原稿の読み取り動作が実行される可能性が高いので、モータの励磁電流の印加を継続させる。
【００３２】
すなわち、ユーザが原稿台の圧板を開けた状態で圧板読み取りを実行し、そのまま次の原稿に交換してスキャンを開始するというように、次のジョブが発生していないときであっても直ちに次の原稿の読み取り動作が要求される場合がある。そこで、圧板が開かれたままの状態でスキャンがなされた場合には、直ちに次の原稿読み取り要求が発生し得ると判断し、最初のスキャンが終了したとしても、モータの励磁電流の印加を停止させないこととしている。これにより、原稿を入れ換えても直ちにスキャンを実行することができる。
【００３３】
次に、本発明の第５実施形態に係る画像形成装置の動作について説明する。図６は、本発明の第５実施形態に係る画像読取装置の動作を示すフロー図である。図６において、Ｓ６１からＳ６５、及びＳ６９の各動作は、図２におけるＳ２１からＳ２５、及びＳ２７の各動作と同一であるので、詳細な説明は省略し、図２と異なる部分についてのみ説明を行う。
【００３４】
Ｓ６５において、原稿の読み取り動作が終了したときには（Ｓ２５：Ｙ）、Ｓ６６へ移行し、次の原稿読み取り要求が存在するか否かが判断される。Ｓ６６において、次の読み取り要求があるときには（Ｓ６６：Ｙ）、引き続き原稿の読み取り動作が実行されるので、モータの励磁電流の印加を継続させる。一方、Ｓ６６において、次の読み取り要求が存在しないときには（Ｓ６７：Ｎ）、ＰＣ（Personal Computer）と画像読取装置との間にセッションが継続中であるか否かが判断される。
【００３５】
Ｓ６７において、ＰＣと画像読取装置との間にセッションが継続中であるときには（Ｓ６７：Ｙ）、Ｓ６６の処理へ戻るが、ＰＣと画像読取装置との間にセッションが継続中でないときには（Ｓ６７：Ｎ）、Ｓ６８へ移行し、キャリッジをホームポジションへ退避させると共に、モータの励磁電流の印加を停止させる。
【００３６】
具体的には、Ｔｗａｉｎ（Technology Without Any Interested Name：スキャナ入力装置用アプリケーションプログラミングインタフェース）に対応したスキャナ読み取り等では、ユーザがＰＣを操作することにより複数枚の原稿読み取りを１枚ずつ任意のタイミングで実施することができる。そのため、読み取り動作終了後、直ちに励磁電流の印加を停止していたのでは、次にユーザが読み取り要求を行っても直ちにスキャンを実行することができず、スキャン効率が低下する。よって、Ｔｗａｉｎモード中等、ＰＣと画像読取装置との間にセッションが継続中であるときには励磁電流の印加を継続することが望ましい。
【００３７】
そこで、本実施形態では読み取り動作終了後（Ｓ６５：Ｙ）であっても、ＰＣと画像読取装置との間にセッションが継続している場合（Ｓ６７：Ｙ）には、Ｔｗａｉｎモード中であると見なし、励磁電流の印加を継続する。そして、ＰＣと画像読取装置との間のセッションが切断された場合（Ｓ６７：Ｎ）には、Ｔｗａｉｎモードが終了したと見なし、キャリッジをホームポジションへ退避させると共に、モータの励磁電流の印加を停止させている（Ｓ６８）。これにより、Ｔｗａｉｎ読み取りモードにおけるスキャン効率の低下を防止することができる。
【００３８】
次に、本発明の第６実施形態に係る画像形成装置の動作について説明する。図７は、本発明の第６実施形態に係る画像読取装置の動作を示すフロー図である。この実施形態は、Ｓ７１において、スキャナが使用不可状態であるか否かが判断され、スキャナが使用不可状態であると判断されたときは（Ｓ７１：Ｙ）、Ｓ７２へ移行し、キャリッジをホームポジションへ退避させると共に、モータの励磁電流の印加を停止させる。
【００３９】
一方、Ｓ７１において、スキャナが使用不可状態でないと判断されたときは（Ｓ７１：Ｎ）、図２における“Ｂ”以降の各動作を実行する。図２の“Ｂ”以降の各動作については、第１実施形態として既に説明したので、詳細な説明は省略する。
【００４０】
この実施形態では、ＤＦジャム（紙詰まり）の発生や、ＳＣ（サービスマンコール）の発生等、何かしらの異常が発生した場合、スキャナが使用不可状態となり、画像読取装置は復旧するまでの間動作停止状態となる。すなわち、異常が回復するまでは、ある程度の時間スキャナの未使用状態が継続する。そこで、装置の異常に伴う動作停止中の電力消費を低減させるため、スキャナの使用ができない状態の場合にはモータの励磁電流の印加を停止させている。これにより、異常発生時の消費電力を低下させることができる。
【００４１】
なお、上述した図２から図７に示した一連の動作フローは、図１のシステム制御部１３に内蔵された図示しないＣＰＵ（Central Processing Unit）が、図示しないＲＯＭ（Read Only Memory）等の記憶媒体に格納されたプログラムを読み取り実行することによって行われる。
【００４２】
このように、本発明によれば、原稿の読み取り終了後、直ちに駆動モータに対する励磁電流の印加を停止するようにしているので、読み取り待機モード中の消費電力を抑えることができる画像読取装置、制御方法、及びプログラムを得ることができる。
【００４３】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４４】
１    画像読取装置
１１    原稿読取制御部
１２    読取画像処理部
１３    システム制御部
１４    表示・操作部
１５    バスライン
【先行技術文献】
【特許文献】
【００４５】
【特許文献１】特開２００５−１８１５７７号公報
【図１】
2013030879.tif 000003
【図２】
2013030879.tif 000004
【図３】
2013030879.tif 000005
【図４】
2013030879.tif 000006
【図５】
2013030879.tif 000007
【図６】
2013030879.tif 000008
【図７】
2013030879.tif 000009